(57)【要約】【課題】    水溶性食品色素や水分散性微粒子顔料を使うことなくシャボン玉に色が付き且つ衣類や壁を汚すことがないカラーシャボン玉液を提供する。【解決手段】  衣類や壁を汚さないカラーシャボン玉液は、ｐＨ変色範囲がｐＨ８．８以下で無色、ｐＨ９．８以上で有色に変色するｐＨ指示薬、耐塩基性水溶性高分子化合物と非イオン界面活性剤または非イオン界面活性剤と陰イオン界面活性剤の組み合わせ、防腐剤、水からなる組成物を無機強塩基性化合物でｐＨ９．８以上に調整することでつくることが出来る。【特許請求の範囲】
【請求項１】
ｐＨ８．８以下で透明、ｐＨ９．８以上で有色に変化するｐＨ指示薬１〜５重量％、耐塩基性水溶性高分子化合物０．０１〜５重量％、非イオン界面活性剤または非イオン界面活性剤と陰イオン界面活性剤の組み合わせが０．５〜５重量％、防腐剤と水からなる組成物を無機強塩基性化合物でｐＨを９．８以上に調整することを特徴とするカラーシャボン玉液。
【請求項２】
ｐＨ指示薬がチモールフタレイン又はＯ（オルト）クレゾールフタレインである請求項１のカラーシャボン玉液。
【請求項３】
非イオン界面活性剤がポオキシエチレンアルキルエーテルで非イオン界面活性剤と陰イオン界面活性剤の組み合わせはポリオキシエチレンアルキルエーテルとアルキルスルホン酸Ｎａまたはアルキルベンゼンスルホン酸Ｎａである請求項１のカラーシャボン玉液。
【請求項４】
無機強塩基性化合物が水酸化Ｎａ，水酸化Ｋ，リン酸三Ｎａから選ばれた請求項１のカラーシャボン玉液。
【請求項５】
耐塩基性水溶性高分子化合物がポリビニルアルコール、タマリンドシードガム、キサンタンガム、グアーガムである請求項１のカラーシャボン玉液。
【発明の詳細な説明】
【技術分野】
【０００１】本発明は、シャボン玉にカラフルなカラーをつけて楽しむことを目的とするカラーシャボン玉液の組成物に関する。
【背景技術】
【０００２】従来のシャボン玉液は、ポリビニルアルコール（ＰＶＡ）などの水溶性高分子化合物を使い、界面活性剤として石鹸，アルキルベンゼンスルホン酸ソーダ、アルキルスルホン酸ソーダ、非イオン界面活性剤などを使い光の反射で色付くものがほとんどであった。この光による反射だけではなくシャボン玉に色付かせる試みとして水溶性食品色素や水分散性微粒子顔料などを加えれば色を付ける事は可能であるが、シャボン玉が割れたときに衣類や壁などにその色が付いて汚してしまうためシャボン玉遊びをするには問題点を多く抱えていた。
【発明の開示】
【発明が解決しようとする課題】
【０００３】本発明者らは、上記のような水溶性食品色素や水分散性微粒子顔料を使うことなくシャボン玉に色が付き且つ衣類や壁を汚すことがないカラーシャボン玉液について研究を行なった。
【課題を解決するための手段】
【０００４】本発明は、上記のような目的を達成するために、ｐＨ８．８以下で透明、ｐＨ９．８以上で有色に変化するｐＨ指示薬、耐塩基性水溶性高分子化合物、非イオン界面活性剤または非イオン界面活性剤と陰イオン界面活性剤の組み合わせ、防腐剤と水からなる組成物を無機強塩基性化合物でｐＨ９．８以上に調整することでシャボン液を吹いた時、浮遊しているシャボン玉に色が付いて、且つその色が空気中で自然に色が消えるので衣類や壁を汚すことなく目的を達成することができる。
【発明の効果】
【０００５】  本発明のカラーシャボン玉液は吹き口で吹いてシャボン玉を浮遊させた時に色が付き、しかも空気中で自然に色が消えていくのでシャボン玉が割れた時などに衣類や壁などを汚すことなく色付きシャボン玉を楽しむ事ができる。
【発明の実施するための最良の形態】
【０００６】以下、本発明を詳細に説明する。本発明における界面活性剤は、非イオン界面活性剤単体もしくは非イオン界面活性剤と陰イオン界面活性剤の組み合わせを使用する。非イオン界面活性剤は高級アルコールに酸化エチレンを付加したものでその中でもポリオキシエチレンアルキルエーテル類で酸化エチレンの付加モル数を調整することが可能で、酸化エチレンの付加モル数が７以上でＨＬＢが１２以上のものが好ましく、陰イオン界面活性剤としてはラウリル硫酸Ｎａやドデシルベンゼン硫酸Ｎａなどのアルキルスルホン酸Ｎａやアルキルベンゼンスルホン酸Ｎａが挙げられる。組み合わせで使う場合は非イオン界面活性剤と陰イオン界面活性剤との比率は１対０．０１〜１で全体の添加量としては１〜５重量％である。
界面活性剤の役割はシャボン玉ができるのに必要な水の界面張力を低くするばかりか、シャボン玉が濃く色が付くのに必要なｐＨ指示薬の量を水に高濃度に溶解するための可溶化剤としての役割がある。
また、ｐＨ変色範囲がｐＨ８．８以下で透明、ｐＨ９．８以上で有色に変色するｐＨ指示薬の例としては、チモールフタレイン（ｐＨ８．８以下で無色からｐＨ１０．５以上で青色に変色）やＯ（オルト）−クレゾールフタレイン（ｐＨ８．２以下で無色からｐＨ９．８以上で赤紫色に変色）、フェノールフタレイン（ｐＨ８．２以下で無色からｐＨ９．８以上で赤色）などが挙げられる。ｐＨ指示薬は、あるｐＨの範囲で無色から有色、有色から他の有色に変化する化合物の総称であり、酸性域だけやアルカリ域だけで変色するものなど多くのものが知られている。
本発明に使用可能なものは使用時が有色であり、空気中で無色にすばやく変化するものであり、有色から有色に変化するものは適さない。
シャボン玉についた色が空気中で無色になる原理は、ｐＨ指示薬を水に溶解するため塩基性にしてナトリウム塩にする必要があるが、その時使用する無機塩基性化合物の一つである水酸化ナトリウムが空気中の二酸化炭素と反応して中和反応が起こり塩基性の弱い炭酸ナトリウムに変わるので浮遊している超薄膜のシャボン玉のｐＨが急速に下がり有色から無色に自然に変化すると言うものである。
もっと化学的に言えば、ｐＨが低いときとｐＨが高いときでｐＨ指示薬の構造が変化してｐＨが高いとき（ｐＨ９．８以上になったとき）構造の一部の結合が切れて色が発色し、二酸化炭素でｐＨが下がると色が消色するというメカニズムとなる。
この原理は良く知られたものであるが、ｐＨ指示薬、非イオン界面活性剤または非イオン界面活性剤と陰イオン界面活性剤との組み合わせ、耐塩基性水溶性高分子化合物、防腐剤、水を組み合わせて無機強塩基性化合物でｐＨ９．８位以上に調整し、衣類や壁を汚さないカラーシャボン玉液に応用した事例は報告されていない。
フェノールフタレインも使えるが、色が消える時間が長いので好ましくはチモールフタレインとＯ（オルト）クレゾールフタレインが良い。
ｐＨ指示薬の添加量としては１〜５重量％で、チモールフタレンの場合は２重量％以上、Ｏ（オルト）−クレゾールフタレインの場合は１．５重量％以上が好ましく、それ以下では濃く色がついたシャボン玉を楽しむことが出来なくなる。
また５重量％以上では経済的でないばかりかそれ以上色の濃さが変わらないので不要である。
耐塩基性水溶性高分子化合物とは、ｐＨ９．８以上でも分解、粘度低下がないものを指しポリビニルアルコール、タマリンドシードガム、キサンタンガム、グアーガムなどが挙げられる。
無機強塩基性化合物としては塩基性（アルカリ性）が強い水酸化ナトリウム、水酸化カリウム、リン酸三ナトリウムなどが挙げられる。
しかしながら、安全性を考えればこの中から食品添加物にも使用できるリン酸三ナトリウムがより好ましい。
防腐剤として安息香酸Ｎａ，パラオキシ安息香酸エステルなどが挙げられる。
本発明のカラーシャボン玉液は、ｐＨ８．８以下で無色、ｐＨ９．８以上で有色に変色するｐＨ指示薬、耐塩基性水溶性高分子化合物、非イオン界面活性剤または非イオン界面活性剤と陰イオン界面活性剤の組み合わせ、防腐剤を水に分散・溶解させ無機強塩基性化合物を加えてｐＨを９．８以上にすることにより得られる。
なお、本発明のカラーシャボン玉液を作るに当たって、その他の成分としてショ糖、ブドウ糖、果糖等の糖類、プロピレングリコール、グリセリン、ソルビトール等の保湿剤などを使用することができる。
【実施例】
【０００７】次に、実施例を挙げて本発明を具体的に説明する。なお、実施例中の部は重量部を表す。
【実施例１】ｐＨ８．８以下で無色、ｐＨ９．８以上で有色に変色するｐＨ指示薬としてＯ−クレゾールフタレイン１．８部「分子量３４６．３３、５．１９ｍｍｏｌ（ミリモル）」、耐塩基性水溶性高分子化合物として１０％ＰＶＡ水溶液８部、非イオン界面活性剤としてポリオキシエチレン（酸化エチレン７モル付加）アルキルエーテル（ＨＬＢ１２．１）２．７部、グリセリン１部、防腐剤の安息香酸Ｎａ０．２部を少しずつ水に加え、できるだけ泡ができないようにゆっくり攪拌しながら無機強塩基性化合物のリン酸三ナトリウム１２水和物３．９５部（分子量３８０．１２、１０．３８ｍｍｏｌ）を加えて溶解させ、赤紫色のカラーシャボン玉液を得る。この液のｐＨは１２．３であった。
【実施例２】ｐＨ指示薬としてチモールフタレイン３部（分子量４３０．５４、６．９６ｍｍｏｌ）、耐塩基性水溶性高分子化合物としてキサンタンガム０．２部、非イオン界面活性剤としてポリオキシエチレン（酸化エチレン９モル付加）アルキルエーテル（ＨＬＢ１３．３）２．５部、陰イオン界面活性剤としてドデシルベンゼンスルホン酸Ｎａ０．４部、砂糖１部、防腐剤のＰ（パラ）オキシ安息香酸メチルエステル（メチルパラベン）０．２部を水に加え攪拌しながら無機強塩基性化合物の水酸化ナトリウム０．６部（分子量４０、１３．９３ｍｍｏｌ）を加えて溶解させ青色のカラーシャボン玉液を得る。この液のｐＨは１２．４であった。
このようにして得られたカラーシャボン玉液は、空中でシャボン玉になったとき青色や赤紫色に色が付き空気中で自然に色が消えていくのでシャボン玉が割れた時に衣類や壁などを汚すことなくカラーシャボン玉を楽しむことができる。
評価は、予め製造したカラーシャボン玉液は空気と接触して色が消えないようにアルミ蒸着した三方シール包装して保存しておき、この三方シール包装からシャボン玉容器に液を移し、吹き口で吹いてシャボン玉を作り色が消える時間やシャボン玉の数などを観察した。
チモールフタレインを使用したシャボン玉液は濃い青色をしており、シャボン玉は青色に色が付き浮遊して飛んで行く間に１から２分で透明に変化した。またハンカチや衣類にシャボン玉液を垂らして色が１０から３０分で消えるのを確認した。
更にＯ（オルト）クレゾールフタレインを使用したシャボン玉液は濃い赤紫色をしており同様に観察した。チモールフタレインよりは色が消える時間が数十分長いが完全に色が消えるのを確認した。
また比較例として実施例２の界面活性剤を非イオン界面活性剤単独で使用した例と実施例２の非イオン界面活性剤と陰イオン界面活性剤とを組み合わせた例を比較すると実施例２の方のシャボン玉の数が３０〜４０個に対して比較例は１０〜１５個でより多かったことで実施例２の組み合わせがより好ましいことが分かった。
このカラーシャボン玉液に、香料を着香することもでき、これにより楽しく遊びながらカラーシャボン玉を楽しむことができる。
【産業上の利用可能性】
【０００８】シャボン玉に色が付き、しかも空気中で自然に色が消えるカラーシャボン玉液ができた事により、機械式連続シャボン玉発生器などを使いカラフルなシャボン玉が混在してイベントや集客には最適である。